(57)【要約】【課題】  キャンドルサービス用などのトーチ棒の先端に設けた炎発生装置において、燃料タンクへの空気供給口からの燃料漏れが起こらない安全性の優れたトーチ棒の炎発生装置を提供する。【解決手段】  先端に開口する炎芯支持孔５を備えた炎芯支持体３を燃料タンクの先端部に気密状態に装着し、該炎芯支持孔３に無機繊維製の炎芯６を該繊維間に燃料送り出しのための最小限の毛細空間を確保して挿嵌したトーチ棒の炎発生装置において、前記炎芯支持体３の内部に、先端部と前記燃料タンク内とに開口する空気供給孔７を貫設するとともに該空気供給孔７の通路中に前記燃料タンクに充填された不揮発性の液体燃料の粘性によって漏出を路中で制止しうる径の直角クランク状に屈曲した燃料制止路８を形成する。【選択図】    図５
2007003025.tif 000002
【特許請求の範囲】
【請求項１】
先端に開口する炎芯支持孔を備えた炎芯支持体を燃料タンクの先端部に気密状態に装着し、該炎芯支持孔に無機繊維製の炎芯を該繊維間に燃料送り出しのための最小限の毛細空間を確保して挿嵌したトーチ棒の炎発生装置であって、前記炎芯支持体の内部に、先端部と前記燃料タンク内とに開口する空気供給孔を貫設するとともに、該空気供給孔の通路中に、前記燃料タンクに充填された不揮発性の液体燃料の粘性によって漏出を制止しうる径の燃料制止路を屈曲させて形成したことを特徴とするトーチ棒の炎発生装置。
【請求項２】
燃料制止路の屈曲を、直角に屈折したクランク状としたことを特徴とする請求項１に記載のトーチ棒の炎発生装置。
【請求項３】
燃料制止路の通路中に、該空気供給孔から分岐した燃料の押出し圧を緩衝する緩衝空間を形成したことを特徴とする請求項１又は２に記載のトーチ棒の炎発生装置。
【発明の詳細な説明】
【技術分野】
【０００１】
本発明は、結婚披露宴のキャンドルサービスなどの儀式やイベントに用いる式用トーチ棒における炎発生装置に関する。
【背景技術】
【０００２】
これまで、結婚披露宴のキャンドルサービスに、本発明者が提案した液体燃料によるキャンドルトーチ棒を使用してきた。
このトーチ棒は、それ以前に提供されていたガス式着火装置が風などにより移動中に消えやすかったのを消えにくく大幅に改善したものだったので、大変好評を得ていたが、液漏れが発生するという問題があった。
炎を出し続けるには、液体燃料タンクから液体燃料を炎芯に供給させ続けなければならず、そのためには燃料タンク内へ減った燃料の嵩分減圧した量の空気を取り込むための空気孔が必要であり、この空気孔が液漏れを発生させる原因となっていた。
そこで、本発明者は、漏れる分の燃料を空気孔に設けた液溜り空間に一時避難させることで液漏れを防ぐ装置（特許文献１）を開発し、これにより液漏れが改善された。
【特許文献１】特開平７−２８０２６４号公報
【発明の開示】
【発明が解決しようとする課題】
【０００３】
しかしながら、上記特許文献１記載の技術を実施してみると、燃料の漏れを完全に防止させることは大変難しく、この改善された装置であっても、トーチ棒の先端を下向きにしておくと液体燃料が染み出てくる問題と、使用中にタンクが炎で加熱されてタンク内部の気体が膨張し、その膨張圧力で液溜り空間に溜っている燃料が外部へ噴出することによって周囲の汚染や火災事故を引き起こす問題があることがわかった。
そこで本発明は、キャンドルサービスなどに用いるトーチ棒における上記従来の問題点を解決し、トーチ棒に装着されたの液体燃料タンクからの燃料漏れを起こさない安全性の優れたトーチ棒の炎発生装置を提供することを目的とする。
【課題を解決するための手段】
【０００４】
上記課題を解決するために本発明のトーチ棒の炎発生装置は、先端に開口する炎芯支持孔を備えた炎芯支持体を燃料タンクの先端部に気密状態に装着し、該炎芯支持孔に無機繊維製の炎芯を該繊維間に燃料送り出しのための最小限の毛細空間を確保して挿嵌したトーチ棒の炎発生装置であって、前記炎芯支持体の内部に、先端部と前記燃料タンク内とに開口する空気供給孔を貫設するとともに、該空気供給孔の通路中に、前記燃料タンクに充填された不揮発性の液体燃料の粘性によって漏出を制止しうる径の燃料制止路を屈曲させて形成したことを特徴とする。
【０００５】
請求項２に記載の発明は、上記発明において、前記液体燃料の流出を確実に停止できるようにするために、前記燃料制止路の屈曲を、直角に屈折したクランク状としたことを特徴とする。
【０００６】
請求項３に記載の発明は、上記各発明において、前記燃料制止路で止められた液体燃料の押し出し圧力を一時的に緩衝することによって前記燃料制止路部分で液体燃料をより確実に停止できるようにするために、前記燃料制止路の通路中に、該空気供給孔から分岐した燃料の押出し圧を緩衝する緩衝空間を形成したことを特徴とする。
【発明の効果】
【０００７】
本発明は、燃料タンク内へ減った燃料の嵩分減圧した量の空気は空気供給孔から取り込まれるので、炎芯の該繊維間の毛細空間から燃料が常時供給されて炎が消えない構造となっている。そして、その空気供給孔には燃料制止路が形成されているので、使用中にキャンドルトーチ棒の先端側を下向きにしても、漏れ出ようとする不揮発性の液体燃料が、その燃料の粘性によって前記燃料制止路の内壁に粘り付き、加熱によるタンク内部の気体の膨張圧力を受けても燃料制止路より漏出が制止され先には進まなくなる。
この空気供給孔での燃料の停止によってさらにタンク内部の圧力が高まると、前記炎芯の該繊維間の毛細空間からの供給燃料が増加し炎を若干大きくするが使用上支障はなく、特に、この停止した液体燃料によって前記空気供給孔からの液漏れが全くなくなり、キャンドルサービスをしている際の液体燃料の漏出による周囲の汚染や火災事故の発生の問題が解消される。
また、前記空気供給孔の燃料制止路は屈曲させて直角クランクなどに形成することによって、燃料の流れがコーナー部分に突き当たりその流れを制止する方向に反作用が生じて流れへの抵抗が増加し、液体燃料がそこに停止しやすくなって、空気供給孔からの液体燃料の液漏れを確実に防止できるようになる。
さらに、前記空気供給孔から分岐した緩衝空間を設けることによって、燃料制止路で停止されて高まった押し出し圧力を一時的にその空間に逃がせるようにしたことによって、燃料制止路部分での液体燃料の停止効果をさらに高めることが可能となる。
このように本発明によってキャンドルトーチ棒の液体燃料の漏出による上記問題が解決されたのでキャンドルサービスを安心して行うことができるようになる。
【発明を実施するための最良の形態】
【０００８】
本発明はキャンドルサービス用のトーチ棒本体の先端部に装着される炎発生装置であり、前記燃料タンク内の液体燃料が、燃料タンク内へ減った燃料の嵩分減圧した量の空気を取り込むための空気供給孔に形成した燃料制止路の途中に達すると、加熱によるタンク内部の気体の膨張圧力を受けても、粘度のある液体燃料がその燃料制止路内より先には進まなくなってそこに停止し、この停止した液体燃料によって液漏れが完全に防止されるようになっている。
この構造を以下さらにキャンドルサービス用のトーチ棒で詳細に説明する。
本発明は、図１及び図２に示すように、炎発生装置２が基部にグリップ部１２を備えたキャンドルサービス用のトーチ棒本体１の先端部１ａに装着される。
そして、トーチ棒本体１の先端部１ａに形成された筒部１９に、燃料タンク４の全体を挿嵌して装着される。
さらに、図３に示すように、先端に開口する炎芯支持孔５を備えた炎芯支持体３が、前記燃料タンク４の先端部４ａの蓋をし、前記炎芯支持体３と燃料タンク４との接続部を気密状態にする。
【０００９】
前記炎芯支持体３の燃料タンク４との接続部は、前記炎芯支持体３を、図５示すように、前記炎芯支持体３の雄ネジ１３にパッキン溝１７を形成してその溝１７にパッキン１５を嵌め、前記燃料タンク４の先端部４ａに形成した雌ネジに前記炎芯支持孔５を螺着して炎芯支持体３と前記燃料タンク４とを一体化する。
そして、この一体化した炎発生装置２が前記トーチ棒本体１の先端部１ａに形成された筒部１９に固定される。
該炎発生装置２のトーチ棒本体１の筒部１９への装着は、前記炎芯支持体３に前記支持体３の燃料タンク４とを固定する雄ネジ１３よりも大径の雄ネジ１４を形成し、その雄ネジ１４の端部にパッキン溝１８を形成してその溝１８にパッキン１６を嵌め、前記燃料タンク４部分を前記筒部１９へ差し込んで、前記トーチ棒本体１の筒部１９先端部に形成した雌ネジに前記炎芯支持体３の雄ネジ１４を螺着する。
該炎芯支持体３には前記炎芯支持孔５が前記燃料タンク４内と外部を軸方向中心に貫通させて設けてあり、その炎芯支持孔５には燃えないガラス繊維などの無機繊維製の炎芯６をその繊維間に燃料送り出しのための最小限の毛細空間を確保して液体燃料が漏れ出さないように強く詰めて装着する。その際に、前記炎芯６の後端は前記燃料タンク４内に突出し、前端は炎芯支持体３の先端外に突出するように前記炎芯支持孔５に挿嵌する。
【００１０】
そして、図５に示すように、前記炎芯支持体３の内部にその先端部の炎芯支持孔５付近と前記燃料タンク４内に開口する空気供給孔７を設ける。該空気供給孔７には前記燃料タンク寄り部位に屈曲させた燃料制止路８を備える。
この屈曲形状は、図５のクランク状や鋭角屈折状（図省略）などの形状に屈曲させることが可能である。
前記燃料タンク内には、前記燃料タンク４が加熱されてタンク内部の気体の膨張圧力を受けても、空気供給孔７の燃料制止路８部分で液体燃料の漏出を停止する粘度をもっている不揮発性の液体燃料９を充填する。
該不揮発性の液体燃料９の粘度が小さく流動性の高いものを用いる場合には、前記燃料制止路８の方をそれに合わせてその粘り気で漏出が停止できるように径を小さく形成する。
なお、図４に示すように、前記炎芯支持体３の炎芯６を保護し、また液体燃料９が着いて汚れるのを防止するために、キャップ１１を着脱可能に設けると良い。
【００１１】
また、図５に示すように、前記燃料タンク４の加熱によるタンク内部の気体の膨張圧力を受けても前記空気供給孔７の燃料制止路８で液体燃料の漏出を確実に停止できるようにするために、前記燃料制止路８を直角に屈折したクランクに形成すれば、この屈曲部で生じる流体摩擦抵抗によって液体燃料９の漏出が確実に停止できるようになる。
さらに、図６に示すように、空気供給孔７に形成された前記クランクよりも燃料タンク４側に該空気供給孔７から分岐し空間を膨らませた緩衝空間１０を形成する。
該緩衝空間１０は、図５に示すように、容積は得られれば細長い空間でも良い。
そしてこの緩衝空間１０によって、前記空気供給孔７の燃料制止路８で止められた前記燃料タンク４の加熱によるタンク内部の気体の膨張による液体燃料９の押し出し圧力が一時的に緩衝空間１０の方に回避されるようになる。
したがって前記空気供給孔７に設けた前記緩衝空間１０によって、より確実に液体燃料９の漏出を燃料制止路８部分で停止させることが可能になる。
【産業上の利用可能性】
【００１２】
本発明は、結婚披露宴のキャンドルサービスに用いる他に、葬儀用の献灯式や誕生パーテイなど各種エベント用として使用することが可能である。
【図面の簡単な説明】
【００１３】
【図１】トーチ棒の斜視図。
【図２】先端部の要部の拡大斜視図。
【図３】燃料タンク部分の縦断側面図。
【図４】キャップをした状態の先端部の要部の縦断側面図。
【図５】炎芯が挿嵌されている炎芯支持体の縦断側面図。
【図６】炎芯支持体の縦断側面図。
【符号の説明】
【００１４】
１    トーチ棒本体
１ａ  トーチ棒本体の先端部
２    炎発生装置
３    炎芯支持体
３ａ  炎芯支持体の先端
３ｂ  炎芯支持体の後端
４    燃料タンク
４ａ  燃料タンクの先端部
５    炎芯支持孔
６    炎芯
７    空気供給孔
７ａ  空気供給孔の外部開口部
７ｂ  空気供給孔のタンク内開口部
８    燃料制止路
９    液体燃料
１０    緩衝空間
１１    キャップ
１２    グリップ部
１３    ネジ
１４    ネジ
１５    パッキン
１６    パッキン
１７    パッキン溝
１８    パッキン溝
１９    トーチ棒本体の筒部
２０    液体注入蓋
２１    炎
【図１】
2007003025.tif 000003
【図２】
2007003025.tif 000004
【図３】
2007003025.tif 000005
【図４】
2007003025.tif 000006
【図５】
2007003025.tif 000007
【図６】
2007003025.tif 000008